(57)【要約】【課題】コンピュータにより複数の移動端末試験装置を制御して、効率よく試験を実施することができる移動端末試験装置を提供すること。【解決手段】画像を表示する表示部１２と、操作入力を受付ける操作部１３と、移動端末４と信号を送受信することで基地局を擬似する擬似基地局部１４と、操作部１３に入力された情報に基づいて擬似基地局部１４にコマンドを出力して基地局を擬似させるとともに、擬似基地局部１４から出力された情報に基づいて表示部１２に情報を表示させる制御部１６と、移動端末試験装置１と通信可能なＰＣ３で動作し、ＰＣ３の操作部３４に入力された情報に基づいて擬似基地局部１４へのコマンドを移動端末試験装置１に送信するとともに、移動端末試験装置１から受信した情報に基づいてＰＣ３の表示部３３に情報を表示させる遠隔制御部３６と、を備える。【選択図】図１
2019176367.tif 000002
【特許請求の範囲】
【請求項１】
外部装置（３）と通信可能とされた複数台のうちの１台である、移動体通信の基地局を擬似して移動端末（４）を試験する移動端末試験装置（１）であって、
画像を表示する表示部（１２）と、
操作入力を受付ける操作部（１３）と、
前記移動端末と信号を送受信することで基地局を擬似する擬似基地局部（１４）と、
前記操作部に入力された情報に基づいて前記擬似基地局部にコマンドを出力して基地局を擬似させるとともに、前記擬似基地局部から出力された情報に基づいて前記表示部に情報を表示させる制御部（１６）と、を備え、
前記制御部は、
前記外部装置であって自身の操作部（３４）に入力された情報に基づいて前記擬似基地局部へのコマンドを生成して前記移動端末試験装置に送信するとともに、前記移動端末試験装置から受信した情報に基づいて自身の表示部（３３）に前記移動端末試験装置の表示部に表示されるべきものと同じ情報を表示させる遠隔制御部（３６）を備えた当該外部装置の当該遠隔制御部から前記コマンドを受信すると前記擬似基地局部に該コマンドを出力し、前記擬似基地局部から出力された情報を当該外部装置の当該遠隔制御部に送信する移動端末試験装置。
【請求項２】
前記制御部及び前記遠隔制御部は、同じプログラムによって構成され、
前記プログラムは、
前記外部装置で動作していると判定した場合、前記外部装置の操作部に入力された情報に基づいて前記擬似基地局部へのコマンドを前記移動端末試験装置に送信するとともに、前記移動端末試験装置から受信した情報に基づいて前記外部装置の表示部に情報を表示させ、
前記移動端末試験装置で動作していると判定した場合、前記遠隔制御部から前記コマンドを受信すると前記擬似基地局部に該コマンドを出力し、前記擬似基地局部から出力された情報を前記遠隔制御部に送信する請求項１に記載の移動端末試験装置。
【請求項３】
請求項１または請求項２に記載の移動端末試験装置と、
請求項１または請求項２に記載の外部装置と、
前記外部装置と通信可能とされ、移動体通信の基地局を擬似して移動端末（４）を試験する第２の移動端末試験装置（２）と、を備えた移動端末試験システムであって、
前記外部装置は、前記第２の移動端末試験装置を制御する試験制御部（３５）をさらに備え、
前記遠隔制御部と前記試験制御部とは、互いに情報を送受信する移動端末試験システム。
【請求項４】
移動端末（４）と信号を送受信することで基地局を擬似する擬似基地局部（１４）と、画像を表示する表示部（１２）とを有する、外部装置（３）と通信可能とされた複数台のうちの１台である移動端末試験装置（１）を用いて、前記外部装置で動作する遠隔制御部（３６）から前記擬似基地局部を制御して前記移動端末の試験を行なう移動端末試験方法であって、
前記遠隔制御部が、前記外部装置の操作部（３４）に入力された情報に基づいて前記擬似基地局部へのコマンドを生成して前記移動端末試験装置に送信するステップと、
前記移動端末試験装置が、前記遠隔制御部から受信した前記コマンドを前記擬似基地局部に出力するステップと、
前記移動端末試験装置が、前記擬似基地局部から出力された情報を前記遠隔制御部に送信するステップと、
前記遠隔制御部が、前記移動端末試験装置から受信した情報に基づいて、前記移動端末試験装置の表示部に表示されるべきものと同じ情報を前記外部装置の表示部（３３）に表示させるステップと、
を備える移動端末試験方法。
【発明の詳細な説明】
【技術分野】
【０００１】
本発明は、移動端末の試験を行なう移動端末試験装置に関する。
【背景技術】
【０００２】
携帯電話やデータ通信端末等の移動しながら通信を行なう移動端末を開発した場合、この開発した移動端末が正常に通信を行なえるか否かを試験する必要がある。このため、実際の基地局の機能を擬似する擬似基地局として動作する試験装置に試験対象の移動端末を接続し、試験装置と移動端末との間で通信を行ない、この通信の内容を確認する試験を行なっている。
【０００３】
また、移動通信システムにおいては、５Ｇ（5th Generation）のサービス開始が見込まれているが、サービス開始当初はＬＴＥ（Long Term Evolution）と組み合わせて５Ｇを運用する方法が仕様として標準化されている。
【０００４】
このように、異なる規格の通信を可能とした移動端末を試験する場合、それぞれの規格に対応した複数の試験装置を使うことが考えられる。
【０００５】
特許文献１には、複数の測定器をコンピュータで制御管理して、制御管理対象になっている測定器の機種情報や設定内容を個別に表示することが記載されている。
【先行技術文献】
【特許文献】
【０００６】
【特許文献１】特開２００１−１５３６８６号公報
【発明の概要】
【発明が解決しようとする課題】
【０００７】
しかしながら、移動端末試験装置の場合、試験実施中に移動端末試験装置を操作する必要があり、コンピュータ上で機種情報や設定内容を個別に表示するだけでは、試験を効率的に進められない。
【０００８】
また、異なる規格に対応した複数の移動端末試験装置を使う場合、他の移動端末試験装置での通信の情報などが必要となったとき、その情報を手入力するなどしなければならず、試験を効率的に進められない。
【０００９】
そこで、本発明は、コンピュータにより複数の移動端末試験装置を制御して、効率よく試験を実施することができる移動端末試験装置を提供することを目的としている。
【課題を解決するための手段】
【００１０】
本発明の移動端末試験装置は、外部装置と通信可能とされた複数台のうちの１台である、移動体通信の基地局を擬似して移動端末を試験する移動端末試験装置であって、画像を表示する表示部と、操作入力を受付ける操作部と、前記移動端末と信号を送受信することで基地局を擬似する擬似基地局部と、前記操作部に入力された情報に基づいて前記擬似基地局部にコマンドを出力して基地局を擬似させるとともに、前記擬似基地局部から出力された情報に基づいて前記表示部に情報を表示させる制御部と、を備え、前記制御部は、前記外部装置であって自身の操作部に入力された情報に基づいて前記擬似基地局部へのコマンドを生成して前記移動端末試験装置に送信するとともに、前記移動端末試験装置から受信した情報に基づいて自身の表示部に前記移動端末試験装置の表示部に表示されるべきものと同じ情報を表示させる遠隔制御部を備えた当該外部装置の当該遠隔制御部から前記コマンドを受信すると前記擬似基地局部に該コマンドを出力し、前記擬似基地局部から出力された情報を当該外部装置の当該遠隔制御部に送信するものである。
【００１１】
この構成により、外部装置の操作部に入力された情報に基づいて擬似基地局部にコマンドが出力され、擬似基地局部から出力された情報に基づいて外部装置の表示部に移動端末試験装置の表示部に表示されるべきものと同じ情報が表示される。このため、外部装置から移動端末試験装置を制御し、試験の状況等を確認することができ、効率よく試験を実施することができる。
【００１２】
また、本発明の移動端末試験装置において、前記制御部及び前記遠隔制御部は、同じプログラムによって構成され、前記プログラムは、前記外部装置で動作していると判定した場合、前記外部装置の操作部に入力された情報に基づいて前記擬似基地局部へのコマンドを前記移動端末試験装置に送信するとともに、前記移動端末試験装置から受信した情報に基づいて前記外部装置の表示部に情報を表示させ、前記移動端末試験装置で動作していると判定した場合、前記遠隔制御部から前記コマンドを受信すると前記擬似基地局部に該コマンドを出力し、前記擬似基地局部から出力された情報を前記遠隔制御部に送信するものである。
【００１３】
この構成により、動作している装置によって処理が変えられ、同じプログラムにより制御部としての処理と、遠隔制御部としての処理が実行される。このため、別々にプログラムを開発する必要が無く、開発コストを抑えることができる。
【００１４】
また、本発明の移動端末試験システムは、上述の移動端末試験装置と、上述の外部装置と、前記外部装置と通信可能とされ、移動体通信の基地局を擬似して移動端末を試験する第２の移動端末試験装置と、を備えた移動端末試験システムであって、前記外部装置は、前記第２の移動端末試験装置を制御する試験制御部をさらに備え、前記遠隔制御部と前記試験制御部とは、互いに情報を送受信するものである。
【００１５】
この構成により、同じ外部装置で動作する遠隔制御部と試験制御部の間で、互いに情報が送受信される。このため、試験に必要な他の移動端末試験装置の情報を容易に取得でき、効率よく試験を実施することができる。
【００１６】
また、本発明の移動端末試験方法は、移動端末と信号を送受信することで基地局を擬似する擬似基地局部と、画像を表示する表示部とを有する、外部装置と通信可能とされた複数台のうちの１台である移動端末試験装置を用いて、前記外部装置で動作する遠隔制御部から前記擬似基地局部を制御して前記移動端末の試験を行なう移動端末試験方法であって、前記遠隔制御部が、前記外部装置の操作部に入力された情報に基づいて前記擬似基地局部へのコマンドを生成して前記移動端末試験装置に送信するステップと、前記移動端末試験装置が、前記遠隔制御部から受信した前記コマンドを前記擬似基地局部に出力するステップと、前記移動端末試験装置が、前記擬似基地局部から出力された情報を前記遠隔制御部に送信するステップと、前記遠隔制御部が、前記移動端末試験装置から受信した情報に基づいて、前記移動端末試験装置の表示部に表示されるべきものと同じ情報を前記外部装置の表示部に表示させるステップと、を備えるものである。
【００１７】
この構成により、外部装置の操作部に入力された情報に基づいて擬似基地局部にコマンドが出力され、擬似基地局部から出力された情報に基づいて外部装置の表示部に移動端末試験装置の表示部に表示されるべきものと同じ情報が表示される。このため、外部装置から移動端末試験装置を制御し、試験の状況等を確認することができ、効率よく試験を実施することができる。
【発明の効果】
【００１８】
本発明は、コンピュータにより複数の移動端末試験装置を制御して、効率よく試験を実施することができる移動端末試験装置を提供することができる。
【図面の簡単な説明】
【００１９】
【図１】図１は、本発明の一実施形態に係る移動端末試験システムのブロック図である。
【図２】図２は、本発明の一実施形態に係る移動端末試験システムの第１の移動端末試験装置のコマンド出力処理の手順を説明するフローチャートである。
【発明を実施するための形態】
【００２０】
以下、図面を参照して、本発明の実施形態に係る移動端末試験システムについて詳細に説明する。
【００２１】
図１において、本発明の一実施形態に係る移動端末試験システムは、第１の移動端末試験装置１と、第２の移動端末試験装置２と、外部装置としてのパーソナルコンピュータ装置（以下、単に「ＰＣ」という）３と、を含んで構成される。
【００２２】
第１の移動端末試験装置１及び第２の移動端末試験装置２は、ＰＣ３により制御されて、移動端末４の試験を行なうようになっている。
【００２３】
移動端末４は、５Ｇ及びＬＴＥなどの複数の規格の通信を行なえるように構成されている。第１の移動端末試験装置１と第２の移動端末試験装置２は、異なる規格の通信の試験装置である。例えば、第１の移動端末試験装置１がＬＴＥ規格専用で、第２の移動端末試験装置２が５Ｇ規格専用で構成される。
【００２４】
本実施の形態において、第１の移動端末試験装置１及び第２の移動端末試験装置２は、アンテナ１５、アンテナ２３を介して無線で移動端末４と信号を送受信するようになっている。
【００２５】
第１の移動端末試験装置１は、ＣＰＵ（Central Processing Unit）と、ＲＡＭ（Random Access Memory）と、ＲＯＭ（Read Only Memory）と、フラッシュメモリと、ハードディスク装置と、入力ポートと、出力ポートとを備えたコンピュータユニットによって構成されている。
【００２６】
このコンピュータユニットは、ハードディスク装置に記憶されたＯＳ（Operating System）をＣＰＵが実行することにより、ＣＰＵが入力ポート及び出力ポートに接続された機器を制御できるようになっている。
【００２７】
第１の移動端末試験装置１は、通信部１１と、表示部１２と、操作部１３と、擬似基地局部１４と、アンテナ１５と、制御部１６と、を含んで構成される。
【００２８】
通信部１１は、通信モジュールによって構成される。通信部１１は、入出力ポートに接続されたイーサネット（登録商標）に準拠したＬＡＮ（Local Area Network）５を介してＰＣ３と通信する。
【００２９】
表示部１２は、液晶ディスプレイ等の画像表示機器で構成され、必要な情報を入力させる画像や試験中の状態を示す画像などを表示する。
【００３０】
操作部１３は、キーボード、マウス、タッチパネル等の入力機器で構成され、操作入力された情報などを制御部１６に出力する。
【００３１】
擬似基地局部１４は、制御部１６の制御により、移動端末４との間でアンテナ１５を介して無線信号を送受信する。擬似基地局部１４は、制御部１６から入力されるコマンドに基づいて移動端末４との通信を制御する。擬似基地局部１４は、移動端末４との通信の状態などを制御部１６に出力する。
【００３２】
制御部１６は、第１の移動端末試験装置１のハードディスク装置に記憶されたプログラムにより構成される。制御部１６は、第１の移動端末試験装置１のＯＳ上で動作し、ＯＳを介して通信部１１や、表示部１２、操作部１３、擬似基地局部１４、などを制御して、コンピュータユニットを第１の移動端末試験装置１として動作させる。
【００３３】
制御部１６は、操作部１３に入力された情報に基づいて、擬似基地局部１４にコマンドを出力して擬似基地局としての動作を制御する。制御部１６は、操作部１３への入力のガイドや、擬似基地局部１４に設定されているパラメータの内容、擬似基地局部１４から出力された移動端末４との通信の状態などを表示部１２に表示させる。
【００３４】
第２の移動端末試験装置２は、ＣＰＵと、ＲＡＭと、ＲＯＭと、フラッシュメモリやハードディスク装置などの記憶装置と、入力ポートと、出力ポートとを備えたコンピュータユニットによって構成されている。
【００３５】
このコンピュータユニットは、記憶装置に記憶されたＯＳをＣＰＵが実行することにより、ＣＰＵが入力ポート及び出力ポートに接続された機器を制御できるようになっている。
【００３６】
第２の移動端末試験装置２は、通信部２１と、擬似基地局部２２と、アンテナ２３と、制御部２４と、を含んで構成される。
【００３７】
通信部２１は、通信モジュールによって構成される。通信部２１は、入出力ポートに接続されたイーサネット（登録商標）に準拠したＬＡＮ５を介してＰＣ３と通信する。
【００３８】
擬似基地局部２２は、制御部２４の制御により、移動端末４との間でアンテナ２３を介して無線信号を送受信する。擬似基地局部２２は、制御部２４から入力されるコマンドに基づいて移動端末４との通信を制御する。擬似基地局部２２は、移動端末４との通信の状態などを制御部２４に出力する。
【００３９】
制御部２４は、第２の移動端末試験装置２の記憶装置に記憶されたプログラムにより構成される。制御部２４は、第２の移動端末試験装置２のＯＳ上で動作し、ＯＳを介して通信部２１や、擬似基地局部２２、などを制御して、コンピュータユニットを第２の移動端末試験装置２として動作させる。
【００４０】
第２の移動端末試験装置２は、ＰＣ３の試験制御部３５により制御される。第２の移動端末試験装置２の制御部２４は、後述する通信部２１を介してＰＣ３の試験制御部３５から受信したコマンドを擬似基地局部２２に出力する。制御部２４は、擬似基地局部２２から入力された移動端末４との通信の状態などを、通信部２１を介してＰＣ３の試験制御部３５に送信する。
【００４１】
ＰＣ３は、ＣＰＵと、ＲＡＭと、ＲＯＭと、フラッシュメモリと、ハードディスク装置と、入力ポートと、出力ポートとを備えたコンピュータユニットによって構成されている。
【００４２】
このコンピュータユニットは、ハードディスク装置に記憶されたＯＳ３１をＣＰＵが実行することにより、ＣＰＵが入力ポート及び出力ポートに接続された機器を制御できるようになっている。
【００４３】
ＰＣ３は、通信部３２と、表示部３３と、操作部３４と、試験制御部３５と、遠隔制御部３６と、を含んで構成される。
【００４４】
通信部３２は、通信モジュールによって構成される。通信部３２は、入出力ポートに接続されたイーサネット（登録商標）に準拠したＬＡＮ（Local Area Network）５を介して第１の移動端末試験装置１や第２の移動端末試験装置２と通信する。
【００４５】
表示部３３は、液晶ディスプレイ等の画像表示機器で構成され、必要な情報を入力させる画像や試験中の状態を示す画像などを表示する。
【００４６】
操作部３４は、キーボード、マウス、タッチパネル等の入力機器で構成され、操作入力された情報などを試験制御部３５や遠隔制御部３６に出力する。
【００４７】
試験制御部３５は、ＰＣ３のハードディスク装置に記憶されたプログラムにより構成される。試験制御部３５は、ＰＣ３のＯＳ３１上で動作し、ＯＳ３１を介して通信部３２や、表示部３３、操作部３４、などを制御して、第２の移動端末試験装置２の試験を制御する。
【００４８】
試験制御部３５は、操作部３４に入力された情報に基づいて、通信部３２を介して第２の移動端末試験装置２に擬似基地局部２２に出力するコマンドを送信する。試験制御部３５は、操作部３４への入力のガイドや、通信部３２を介して第２の移動端末試験装置２から受信した情報に基づいて、擬似基地局部２２に設定されているパラメータの内容や、移動端末４との通信の状態などを表示部３３に表示させる。
【００４９】
試験制御部３５は、ＯＳ３１を介して遠隔制御部３６と情報を送受信することができるようになっている。
【００５０】
遠隔制御部３６は、ＰＣ３のハードディスク装置に記憶されたプログラムにより構成される。遠隔制御部３６は、ＰＣ３のＯＳ３１上で動作し、ＯＳ３１を介して通信部３２や、表示部３３、操作部３４、などを制御して、第１の移動端末試験装置１の試験を制御する。
【００５１】
遠隔制御部３６は、ＯＳ３１を介して試験制御部３５と情報を送受信することができるようになっている。
【００５２】
複数の規格の通信を行なえる移動端末４を試験する場合、異なる通信規格の第１の移動端末試験装置１と第２の移動端末試験装置２のそれぞれが、他の試験装置での通信の状態や通信中の呼の情報などが必要な場合がある。
【００５３】
このようにすることで、他の試験装置の情報を参照したり、利用したりすることができ、効率よく試験を実施することができる。
【００５４】
遠隔制御部３６と第１の移動端末試験装置１の制御部１６は、例えば、認証情報の送受信をして認証を行ない、認証が正常に行なわれると遠隔制御部３６から第１の移動端末試験装置１の制御を可能とする。
【００５５】
遠隔制御部３６は、第１の移動端末試験装置１の制御部１６との認証が正常に行われ、第１の移動端末試験装置１の制御が可能になると、操作部３４に入力された情報に基づいて、通信部３２を介して第１の移動端末試験装置１にコマンドを送信する。
【００５６】
第１の移動端末試験装置１の制御部１６は、遠隔制御部３６との認証が正常に行われ、遠隔制御部３６からの制御が可能になると、通信部１１を介して遠隔制御部３６からコマンドを受信すると、受信したコマンドを擬似基地局部１４に出力する。
【００５７】
ここで送受信されるコマンドは、擬似基地局部１４に出力するコマンドそのものでよい。
【００５８】
第１の移動端末試験装置１の制御部１６は、擬似基地局部１４から移動端末４との通信の状態などが出力されると、通信部１１を介して出力された情報を遠隔制御部３６に送信する。
【００５９】
遠隔制御部３６は、通信部３２を介して第１の移動端末試験装置１から情報を受信すると、受信した情報に基づいて、移動端末４との通信の状態などを表示部３３に表示させる。ここで送受信される情報は、擬似基地局部１４から出力された情報そのものでよい。
【００６０】
遠隔制御部３６は、例えば、第１の移動端末試験装置１の制御部１６と同様の処理を行なうようにすればよい。
【００６１】
すなわち、遠隔制御部３６は、通信部３２を介して第１の移動端末試験装置１から受信した情報に基づいて、同じ情報が擬似基地局部１４から出力されたときに制御部１６が表示部１２に表示させるもの（例えば、出力情報を表示するウィンドウ）と同じものを、表示部３３に表示させる。遠隔制御部３６は、操作部３４に入力された情報に基づいて、同じ情報が操作部１３に入力されたときに制御部１６が擬似基地局部１４に出力するコマンドと、同じコマンドを生成する。
【００６２】
このようにすることで、第１の移動端末試験装置１を操作部１３により操作し、表示部１２で情報等を確認するのと同様の手順で、ＰＣ３の操作部３４と表示部３３により試験を行なうことができる。
【００６３】
なお、第１の移動端末試験装置１とＰＣ３のＯＳが同種のＯＳで、同じプログラムがどちらでも動作するような場合、第１の移動端末試験装置１の制御部１６と遠隔制御部３６を同じプログラムで構成することができる。
【００６４】
このプログラムは、第１の移動端末試験装置１とＰＣ３のどちらで動作しているかの情報を持ち、第１の移動端末試験装置１で動作している場合は、擬似基地局部１４にコマンドを出力し、表示部１２に情報を表示させる。
【００６５】
また、ＰＣ３の遠隔制御部３６が認証されているときは、遠隔制御部３６から受信したコマンドを擬似基地局部１４に出力し、擬似基地局部１４から出力された情報などを遠隔制御部３６に送信する。
【００６６】
ＰＣ３で動作している場合は、擬似基地局部１４に対するコマンドを第１の移動端末試験装置１に送信し、第１の移動端末試験装置１から受信した情報に基づいて表示部３３に情報を表示させる。
【００６７】
このようにすることで、第１の移動端末試験装置１の制御部１６と、ＰＣ３の遠隔制御部３６とで別々のプログラムを開発する必要が無くなる。
【００６８】
このような構成では、第１の移動端末試験装置１上の制御部１６を構成するプログラムを、ＰＣ３のハードディスク装置にダウンロードして遠隔制御部３６として動作させることもできる。
【００６９】
このようにすることで、第１の移動端末試験装置１上の制御部１６のプログラムと、ＰＣ３の遠隔制御部３６のプログラムの不一致を防ぐことができる。
【００７０】
また、第１の移動端末試験装置１上の制御部１６のプログラムに変更を加えることで、別個に遠隔制御部３６のプログラムを変更することなく、両方のプログラムに変更を反映させることができる。
【００７１】
また、遠隔制御部３６は、操作部３４に入力された操作情報のみを制御部１６に送信することで、制御部１６側で完全に同じ状態を再現することができる。
【００７２】
このような構成の制御部１６及び遠隔制御部３６のコマンド出力処理について、図２を参照して説明する。なお、以下に説明するコマンド出力処理は、操作部１３または操作部３４に入力された情報により、擬似基地局部１４にコマンドを出力する必要が生じた場合に実行される。
【００７３】
ステップＳ１において、制御部１６または遠隔制御部３６は、操作部１３または操作部３４に入力された情報から擬似基地局部１４に対するコマンドを生成する。
【００７４】
ステップＳ２において、制御部１６または遠隔制御部３６は、動作状態がＰＣ３上であるか否かを判定する。動作状態がＰＣ３上であると判定した場合、ステップＳ３において、遠隔制御部３６は、コマンドを第１の移動端末試験装置１に送信して、処理を終了する。
【００７５】
ステップＳ２において動作状態がＰＣ３上でないと判定した場合、ステップＳ４において、制御部１６は、コマンドを擬似基地局部１４に出力して、処理を終了する。
【００７６】
なお、本実施形態においては、第２の移動端末試験装置２としてＰＣ３から制御される試験装置の場合を示したが、第１の移動端末試験装置１と同様に、装置本体でも、ＰＣ３からでも制御できる試験装置としてもよい。また、複数の第１の移動端末試験装置１をＰＣ３から制御するようにしてもよい。
【００７７】
このような場合も、それぞれの試験装置に対応するＰＣ３上で動作する遠隔制御部３６は、ＯＳ３１を介して互いに情報を送受信できるようにする。
【００７８】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００７９】
１  第１の移動端末試験装置
２  第２の移動端末試験装置
３  パーソナルコンピュータ装置（外部装置）
４  移動端末
１２  表示部
１３  操作部
１４  擬似基地局部
１６  制御部
３３  表示部
３４  操作部
３５  試験制御部
３６  遠隔制御部
【図１】
2019176367.tif 000003
【図２】
2019176367.tif 000004
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
外部装置（３）と通信可能とされた複数台のうちの１台である、移動体通信の基地局を擬似して移動端末（４）を試験する移動端末試験装置（１）であって、
画像を表示する表示部（１２）と、
操作入力を受付ける操作部（１３）と、
前記移動端末と信号を送受信することで基地局を擬似する擬似基地局部（１４）と、
前記操作部に入力された情報に基づいて前記擬似基地局部にコマンドを出力して基地局を擬似させるとともに、前記擬似基地局部から出力された情報に基づいて前記表示部に情報を情報表示画像で表示させる制御部（１６）と、を備え、
前記制御部は、
前記外部装置であって自身の操作部（３４）に入力された情報に基づいて前記擬似基地局部へのコマンドを生成して前記移動端末試験装置に送信するとともに、当該送信した後に前記移動端末試験装置から受信した情報に基づいて自身の表示部（３３）に前記移動端末試験装置の表示部に表示されるべき前記情報表示画像と同じものを表示させる遠隔制御部（３６）を備えた当該外部装置の当該遠隔制御部から前記コマンドを受信すると前記擬似基地局部に該コマンドを出力し、前記擬似基地局部から出力された情報を当該外部装置の当該遠隔制御部に送信する、移動端末試験装置。
【請求項２】
前記制御部及び前記遠隔制御部は、同じプログラムによって構成され、
前記プログラムは、
前記外部装置で動作していると判定した場合、前記外部装置の操作部に入力された情報に基づいて前記擬似基地局部へのコマンドを前記移動端末試験装置に送信するとともに、前記移動端末試験装置から受信した情報に基づいて前記外部装置の表示部に情報を表示させ、
前記移動端末試験装置で動作していると判定した場合、前記遠隔制御部から前記コマンドを受信すると前記擬似基地局部に該コマンドを出力し、前記擬似基地局部から出力された情報を前記遠隔制御部に送信する、請求項１に記載の移動端末試験装置。
【請求項３】
請求項１または請求項２に記載の移動端末試験装置と、
自身の操作部（３４）に入力された情報に基づいて前記移動端末試験装置の擬似基地局部へのコマンドを生成して前記移動端末試験装置に送信するとともに、当該送信した後に前記移動端末試験装置から受信した情報に基づいて自身の表示部（３３）に前記移動端末試験装置の表示部に表示されるべき前記情報表示画像と同じものを表示させる遠隔制御部（３６）を備えた外部装置と、
前記外部装置と通信可能とされ、移動体通信の基地局を擬似して移動端末（４）を試験する第２の移動端末試験装置（２）と、を備えた移動端末試験システムであって、
前記外部装置は、前記第２の移動端末試験装置を制御する試験制御部（３５）をさらに備え、
前記遠隔制御部と前記試験制御部とは、互いに情報を送受信する、移動端末試験システム。
【請求項４】
移動端末（４）と信号を送受信することで基地局を擬似する擬似基地局部（１４）と、画像を表示する表示部（１２）と、操作入力を受付ける操作部（１３）とを有し、前記操作部に入力された情報に基づいて前記擬似基地局部にコマンドを出力して基地局を擬似させるとともに、前記擬似基地局部から出力された情報に基づいて前記表示部に情報を情報表示画像で表示させる、外部装置（３）と通信可能とされた複数台のうちの１台である移動端末試験装置（１）を用いて、前記外部装置で動作する遠隔制御部（３６）から前記擬似基地局部を制御して前記移動端末の試験を行なう移動端末試験方法であって、
前記遠隔制御部が、前記外部装置の操作部（３４）に入力された情報に基づいて前記擬似基地局部へのコマンドを生成して前記移動端末試験装置に送信するステップと、
前記移動端末試験装置が、前記遠隔制御部から受信した前記コマンドを前記擬似基地局部に出力するステップと、
前記移動端末試験装置が、前記擬似基地局部から出力された情報を前記遠隔制御部に送信するステップと、
前記遠隔制御部が、前記擬似基地局部へのコマンドを前記移動端末試験装置に送信した後に、前記移動端末試験装置から受信した情報に基づいて、前記移動端末試験装置の表示部に表示されるべき前記情報表示画像と同じものを前記外部装置の表示部（３３）に表示させるステップと、
を備える移動端末試験方法。
【手続補正２】
【補正対象書類名】明細書
【補正対象項目名】００１０
【補正方法】変更
【補正の内容】
【００１０】
本発明の移動端末試験装置は、外部装置と通信可能とされた複数台のうちの１台である、移動体通信の基地局を擬似して移動端末を試験する移動端末試験装置であって、画像を表示する表示部と、操作入力を受付ける操作部と、前記移動端末と信号を送受信することで基地局を擬似する擬似基地局部と、前記操作部に入力された情報に基づいて前記擬似基地局部にコマンドを出力して基地局を擬似させるとともに、前記擬似基地局部から出力された情報に基づいて前記表示部に情報を情報表示画像で表示させる制御部と、を備え、前記制御部は、前記外部装置であって自身の操作部に入力された情報に基づいて前記擬似基地局部へのコマンドを生成して前記移動端末試験装置に送信するとともに、当該送信した後に前記移動端末試験装置から受信した情報に基づいて自身の表示部に前記移動端末試験装置の表示部に表示されるべき前記情報表示画像と同じものを表示させる遠隔制御部を備えた当該外部装置の当該遠隔制御部から前記コマンドを受信すると前記擬似基地局部に該コマンドを出力し、前記擬似基地局部から出力された情報を当該外部装置の当該遠隔制御部に送信するものである。
【手続補正３】
【補正対象書類名】明細書
【補正対象項目名】００１１
【補正方法】変更
【補正の内容】
【００１１】
この構成により、外部装置の操作部に入力された情報に基づいて擬似基地局部にコマンドが出力され、擬似基地局部から出力された情報に基づいて外部装置の表示部に移動端末試験装置の表示部に表示されるべき情報表示画像と同じものが表示される。このため、外部装置から移動端末試験装置を制御し、試験の状況等を確認することができ、効率よく試験を実施することができる。
【手続補正４】
【補正対象書類名】明細書
【補正対象項目名】００１４
【補正方法】変更
【補正の内容】
【００１４】
また、本発明の移動端末試験システムは、上述の移動端末試験装置と、自身の操作部に入力された情報に基づいて前記移動端末試験装置の擬似基地局部へのコマンドを生成して前記移動端末試験装置に送信するとともに、当該送信した後に前記移動端末試験装置から受信した情報に基づいて自身の表示部に前記移動端末試験装置の表示部に表示されるべき前記情報表示画像と同じものを表示させる遠隔制御部を備えた外部装置と、前記外部装置と通信可能とされ、移動体通信の基地局を擬似して移動端末を試験する第２の移動端末試験装置と、を備えた移動端末試験システムであって、前記外部装置は、前記第２の移動端末試験装置を制御する試験制御部をさらに備え、前記遠隔制御部と前記試験制御部とは、互いに情報を送受信するものである。
【手続補正５】
【補正対象書類名】明細書
【補正対象項目名】００１６
【補正方法】変更
【補正の内容】
【００１６】
また、本発明の移動端末試験方法は、移動端末と信号を送受信することで基地局を擬似する擬似基地局部と、画像を表示する表示部と、操作入力を受付ける操作部とを有し、前記操作部に入力された情報に基づいて前記擬似基地局部にコマンドを出力して基地局を擬似させるとともに、前記擬似基地局部から出力された情報に基づいて前記表示部に情報を情報表示画像で表示させる、外部装置と通信可能とされた複数台のうちの１台である移動端末試験装置を用いて、前記外部装置で動作する遠隔制御部から前記擬似基地局部を制御して前記移動端末の試験を行なう移動端末試験方法であって、前記遠隔制御部が、前記外部装置の操作部に入力された情報に基づいて前記擬似基地局部へのコマンドを生成して前記移動端末試験装置に送信するステップと、前記移動端末試験装置が、前記遠隔制御部から受信した前記コマンドを前記擬似基地局部に出力するステップと、前記移動端末試験装置が、前記擬似基地局部から出力された情報を前記遠隔制御部に送信するステップと、前記遠隔制御部が、前記擬似基地局部へのコマンドを前記移動端末試験装置に送信した後に、前記移動端末試験装置から受信した情報に基づいて、前記移動端末試験装置の表示部に表示されるべき前記情報表示画像と同じものを前記外部装置の表示部に表示させるステップと、を備えるものである。
【手続補正６】
【補正対象書類名】明細書
【補正対象項目名】００１７
【補正方法】変更
【補正の内容】
【００１７】
この構成により、外部装置の操作部に入力された情報に基づいて擬似基地局部にコマンドが出力され、擬似基地局部から出力された情報に基づいて外部装置の表示部に移動端末試験装置の表示部に表示されるべき情報表示画像と同じものが表示される。このため、外部装置から移動端末試験装置を制御し、試験の状況等を確認することができ、効率よく試験を実施することができる。